(57)【要約】【課題】  異物との接触によるスイッチの誤作動を防止するとともに、スイッチの操作が必要なときのみ操作ハンドルの操作を可能とし、しかもスイッチの関連設備が作業中であることを容易に把握することが可能なスイッチ誤操作防止装置を提供する。【解決手段】  操作ハンドル４ｃが貫通可能なハンドル貫通穴１１０を有し、操作ハンドル４ｃがハンドル貫通穴１１０に進入した状態では操作ハンドル４ｃの外周面４ｄとハンドル貫通穴１１０の内周面１１ｃとの間に異物侵入防止用の隙間Ｇが形成される誤操作防止カバー１１と、誤操作防止カバー１１に連結され、スイッチ４が設けられる盤面２側に対して誤操作防止カバー１１を進退可能に支持するガイド棒１２と、盤面２に対する誤操作防止カバー１１の進退方向の位置決めを行うカバー位置決め手段１５と、を備える。【選択図】  図２
2014049219.tif 000002
【特許請求の範囲】
【請求項１】
操作ハンドルを回動させることによって操作が可能なスイッチの誤操作を防止するスイッチ誤操作防止装置であって、
前記操作ハンドルが進入可能なハンドル貫通穴を有し、前記操作ハンドルが前記ハンドル貫通穴に進入した状態では前記操作ハンドルの外周面とハンドル貫通穴の内周面との間に異物侵入防止用の隙間が形成される誤操作防止カバーと、
前記誤操作防止カバーに連結され、前記スイッチが設けられる盤面側に対して前記誤操作防止カバーを進退可能に支持するガイド棒と、
前記盤面に対する前記誤操作防止カバーの前記進退方向の位置決めを行うカバー位置決め手段と、
を備え、
前記カバー位置決め手段は、前記操作ハンドルが前記ハンドル貫通穴に進入した状態となるように前記誤操作防止カバーの進退方向の位置決めする第１の位置決め部と、前記操作ハンドルに対して前記ハンドル貫通穴が後退した位置にくるように前記誤操作防止カバーの進退方向の位置決めする第２の位置決め部と、前記操作ハンドルに対して前記ハンドル貫通穴が前進した位置にくるように前記誤操作防止カバーの進退方向の位置決めする第３の位置決め部と、を有することを特徴とするスイッチ誤操作防止装置。
【請求項２】
前記第１の位置決め部によって位置決めされている前記誤操作防止カバーと前記操作ハンドルとの間の前記隙間は、少なくとも前記操作ハンドルを操作する操作者の手が入らない大きさに設定されていることを特徴とする請求項１に記載のスイッチ誤操作防止装置。
【請求項３】
前記誤操作防止カバーは、透明アクリル板から構成されていることを特徴とする請求項１または２に記載のスイッチ誤操作防止装置。
【発明の詳細な説明】
【技術分野】
【０００１】
この発明は、操作盤などの盤面に設けられたスイッチの誤操作を防止するスイッチ誤操作防止装置に関する。
【背景技術】
【０００２】
発変電設備における制御盤や保護継電器盤などに設けられている切替器や開閉器などのスイッチ類は、操作性を確保するために盤面から例えば約８ｃｍ程度突出している。このため、作業や運搬などにおいて、運搬物などの異物が誤ってスイッチ類に当たり、スイッチの誤操作を招くという問題が生じている。
【０００３】
従来からスイッチ類の誤操作を防止する技術の一例として、下記の技術が知られている（例えば、特許文献１〜３参照。）。特許文献１のスイッチの誤操作防止構造は、スイッチが設けられた部分を開閉可能なカバー板で覆い、カバー板を開とすることでスイッチが露出するようになっている。特許文献２の誤操作防止カバーは、電子機器の調整部を透明の合成樹脂からなるカバーで覆い、電子機器の調整後に起きる不用意な誤操作を防止している。特許文献３の誤操作防止装置は、複数の操作スイッチを覆う遮蔽体を透視可能な合成樹脂から構成し、遮蔽体に大小の開口部を設けることにより、遮蔽体を取外すことなくすべての操作スイッチの操作を可能にしている。
【先行技術文献】
【特許文献】
【０００４】
【特許文献１】実願平０１−００１７８５号
【特許文献２】特開平０７−２１２０５２号公報
【特許文献３】特開平０９−１６５１５０号公報
【発明の概要】
【発明が解決しようとする課題】
【０００５】
しかし、上述の特許文献１の技術は、スイッチと一体型の開閉可能な保護カバーからなる構造を採用しているため、突起を有するスイッチの場合は、保護カバーが大型化し、操作盤の視認性が悪くなるという問題がある。特許文献２の技術は、スイッチ保護カバーに開口部があるため、開口部を介して異物が侵入するおそれがあり、異物の侵入により誤操作を招くという問題がある。特許文献３の技術は、一定操作方向の手が入るようにした操作カバーであり、一定の効果は期待できるが、開口空間が広いために異物との接触による誤操作の対策には不十分であるという問題がある。
【０００６】
また、操作盤のスイッチと関連する発変電設備について作業が計画されている場合は、発変電設備の作業中は、その関連するスイッチの操作を禁止する必要がある。したがって、スイッチの誤操作防止装置には、そのスイッチが関連する発変電設備について、作業中であることが容易に把握できる機能が求められる。
【０００７】
そこで本発明は、異物との接触によるスイッチの誤作動を防止するとともに、スイッチの操作が必要なときのみ操作ハンドルの操作を可能とし、しかもスイッチの関連設備が作業中であることを容易に把握することが可能なスイッチ誤操作防止装置を提供することを目的とする。
【課題を解決するための手段】
【０００８】
上記目的を達成するために請求項１に記載の発明は、操作ハンドルを回動させることによって操作が可能なスイッチの誤操作を防止するスイッチ誤操作防止装置であって、前記操作ハンドルが進入可能なハンドル貫通穴を有し、前記操作ハンドルが前記ハンドル貫通穴に進入した状態では前記操作ハンドルの外周面とハンドル貫通穴の内周面との間に異物侵入防止用の隙間が形成される誤操作防止カバーと、前記誤操作防止カバーに連結され、前記スイッチが設けられる盤面側に対して前記誤操作防止カバーを進退可能に支持するガイド棒と、前記盤面に対する前記誤操作防止カバーの前記進退方向の位置決めを行うカバー位置決め手段と、を備え、前記カバー位置決め手段は、前記操作ハンドルが前記ハンドル貫通穴に進入した状態となるように前記誤操作防止カバーの進退方向の位置決めする第１の位置決め部と、前記操作ハンドルに対して前記ハンドル貫通穴が後退した位置にくるように前記誤操作防止カバーの進退方向の位置決めする第２の位置決め部と、前記操作ハンドルに対して前記ハンドル貫通穴が前進した位置にくるように前記誤操作防止カバーの進退方向の位置決めする第３の位置決め部と、を有することを特徴とするスイッチ誤操作防止装置である。
【０００９】
この発明によれば、誤操作防止カバーは、盤面に対して３つの位置で停止することが可能であり、第１の位置決め部による停止位置では、操作ハンドルが誤操作防止カバーのハンドル貫通穴に進入した状態となる。第２の位置決め部による停止位置では、操作ハンドルがハンドル貫通穴から前方に抜け出し、露出した状態となる。第３の位置決め部による停止位置では、操作ハンドルが誤操作防止カバーによって覆われた状態となる。
【００１０】
請求項２に記載の発明は、請求項１に記載のスイッチ誤操作防止装置において、前記第１の位置決め部によって位置決めされている前記誤操作防止カバーと前記操作ハンドルとの間の前記隙間は、少なくとも前記操作ハンドルを操作する操作者の手が入らない大きさに設定されていることを特徴としている。
【００１１】
請求項３に記載の発明は、請求項１または２に記載のスイッチ誤操作防止装置において、前記誤操作防止カバーは、透明アクリル板から構成されていることを特徴としている。
【発明の効果】
【００１２】
請求項１に記載の発明によれば、スイッチが設けられる盤面に対する誤操作防止カバーの進退方向の停止位置を３段階としているので、第１の位置決め部による停止位置では、操作ハンドルの外周面が誤操作防止カバーによって包囲されることになり、異物との接触によるスイッチの誤作動を防止することができる。また、第２の位置決め部による停止位置では、操作ハンドルがハンドル貫通穴から前方に抜け出した状態となるので、操作ハンドルを回動させることが可能となり、スイッチをオンオフすることができる。第３の位置決め部による停止位置では、操作ハンドルが誤操作防止カバーによって覆われた状態となり、スイッチが関連する設備について作業中であることが容易に把握することができる。
【００１３】
請求項２に記載の発明によれば、誤操作防止カバーと操作ハンドルとの間の隙間は、操作ハンドルを操作する操作者の手が入らない大きさに設定されているので、操作ハンドルを手で握ることができず、スイッチの誤操作を確実に防止することができる。
【００１４】
請求項３に記載の発明によれば、誤操作防止カバーは、透明アクリル板から構成されているので、誤操作防止カバーによって操作ハンドルが覆われた状態でも、誤操作防止カバーを介して操作ハンドルを目視で確認することができ、スイッチがオンまたはオフになっているのを容易に把握することができる。
【図面の簡単な説明】
【００１５】
【図１】本発明の実施の形態に係わるスイッチ誤操作防止装置における誤操作防止カバーが第１の位置決め部によって停止している状態を示す平面図である。
【図２】図１のＡ−Ａ線に沿う断面図である。
【図３】図１の誤操作防止カバーが第２の位置決め部によって停止している状態を示す平面図である。
【図４】図３のＢ−Ｂ線に沿う断面図である。
【図５】図１の誤操作防止カバーが第３の位置決め部によって停止している状態を示す平面図である。
【図６】図５のＣ−Ｃ線に沿う断面図である。
【図７】本発明のスイッチ誤操作防止装置が設けられる操作盤の全体正面図である。
【図８】本発明のスイッチ誤操作防止装置におけるカバー位置決め手段による誤操作防止カバーの位置決め状態を示す断面図である。
【図９】図８のカバー位置決め手段による誤操作防止カバーの位置決め解除状態を示す断面図である。
【図１０】図７の操作盤の各スイッチにおける各スイッチ誤操作防止装置の使用状態を示す断面図であって、図１０（ａ）は各スイッチが操作不可の状態を示す断面図、図１０（ｂ）はスイッチＳ２のみが操作可能な状態を示す断面図、図１０（ｃ）はスイッチＳ３のみが関連設備が作業中であることを示す断面図である。
【発明を実施するための形態】
【００１６】
つぎに、この発明の実施の形態について、図面を用いて詳しく説明する。
【００１７】
図１ないし図１０は、本発明の実施の形態を示しており、とくに電力供給事業者における発変電設備に適用した場合を示している。図７は、発変電設備における操作盤１を示している。操作盤１の盤面２の上部には、系統表示板３が設けられている。系統表示板３は、発変電系統における各系統３ａ〜３ｄのうちいずれかが作業中である場合は、該当する系統３ａ〜３ｄを電光表示するようになっている。盤面２における系統表示板３の下方には、３つのスイッチＳ１、Ｓ２、Ｓ３が設けられている。後述するように、３つのスイッチＳ１、Ｓ２、Ｓ３には、誤操作を防止するためのスイッチ誤操作防止装置１０がそれぞれ設けられている。
【００１８】
この実施の形態においては、各スイッチＳ１、Ｓ２、Ｓ３は、図２に示すように、捻回式切替用スイッチ４から構成されている。捻回式切替用スイッチ４は、スイッチ本体部４ａと、連結ロッド４ｂと、操作ハンドル４ｃを有している。スイッチ本体部４ａは、盤面２の裏面側に固定されている。スイッチ本体部４ａは、複数の電気接点を有しており、電気回路の切替を行う機能を有している。スイッチ本体部４ａには、連結ロッド４ｂが連結されている。連結ロッド４ｂは、盤面２に形成された第１の貫通穴２ａを介して盤面２の表面側に延びている。連結ロッド４ｂの先端部には、平面形状が円形の操作ハンドル４ｃが設けられている。操作ハンドル４ｃは、軸心回りに回動可能となっており、操作ハンドル４ｃの回動方向の動きは連結ロッド４ｂ介してスイッチ本体部４ａに伝達されるようになっている。操作ハンドル４ｃの外周面４ｄには、半径方向外方に突出する表示突起４ｅが形成されている。捻回式切替用スイッチ４は、表示突起４ｅの位置によりオンオフ状態を確認することが可能となっている。
【００１９】
図１ないし図６は、スイッチ誤操作防止装置１０を示している。スイッチ誤操作防止装置１０は、誤操作防止カバー１１と、ガイド棒１２と、ホルダー１３と、圧縮コイルスプリング１４と、カバー位置決め手段１５と、を有している。誤操作防止カバー１１は、例えば透明アクリル板から構成されている。誤操作防止カバー１１は、平面形状が略長方形をしており、四隅が円弧状に面取り加工されている。誤操作防止カバー１１の中央部には、操作ハンドル４ｃが進入可能なハンドル貫通穴１１０が形成されている。ハンドル貫通穴１１０の平面形状は、操作ハンドル４ｃの平面形状と相似形となる円形に形成されており、誤操作防止カバー１１の前面１１ａと背面１１ｂを貫通している。ハンドル貫通穴１１０の内周面１１ｃには、第１の切欠き部１１ｄと、第２の切欠き部１１ｅが形成されている。第１の切欠き部１１ｄと第２の切欠き部１１ｅは、操作ハンドル４ｃの回動角に応じた位置に形成されており、表示突起４ｅが進入可能となっている。
【００２０】
図１および図２に示すように、誤操作防止カバー１１の四隅の近傍には、金属製のガイド棒１２が連結されている。ガイド棒１２の一端は、誤操作防止カバー１１に固定されている。この実施の形態においては、ガイド棒１２の一端には、連結用のネジ（図示略）が形成されており、このネジを誤操作防止カバー１１にねじ込むことにより、ガイド棒１２の一端は誤操作防止カバー１１に固定されている。操作盤１には、盤面２の表面と裏面とを貫通する貫通穴２ｂが形成されている。貫通穴２ｂには、ガイド棒１２が挿通されている。操作盤１の盤面２の裏側には、ガイド棒１２を摺動自在に保持する機能を有するホルダー１３が取付けられている。ホルダー１３は、盤面２の裏側に例えば溶接によって固定されている。
【００２１】
ガイド棒１２の外周には、圧縮コイルスプリング１４が設けられている。圧縮コイルスプリング１４は、誤操作防止カバー１１と盤面２との間に位置しており、誤操作防止カバー１１を盤面２から離れる方向に付勢する機能を有している。
【００２２】
ガイド棒１２には、盤面２に対する誤操作防止カバー１１の進退方向の位置決めを行うカバー位置決め手段１５が設けられている。カバー位置決め手段１５は、図４に示すように、第１の位置決め部１５Ａと、第２の位置決め部１５Ｂと、第３の位置決め部１５Ｃと、を有している。第１の位置決め部１５Ａは、操作ハンドル４ｃがハンドル貫通穴１１０に進入した位置で誤操作防止カバー１１を停止させる機能を有している。第２の位置決め部１５Ｂは、操作ハンドル４ｃに対してハンドル貫通穴１１０が後退した位置で誤操作防止カバー１１を停止させる機能を有している。第３の位置決め部１５Ｃは、操作ハンドル４ｃに対してハンドル貫通穴１１０が前進した位置で誤操作防止カバー１１を停止させる機能を有している。
【００２３】
図８および図９は、第１の位置決め部１５Ａの詳細を示している。第１の位置決め部１５Ａは、位置決めボール１５ｄと、スプリング１５ｅと、収納穴１５ｆと、カシメ部１５ｇとから構成されている。収納穴１５ｆは、ガイド棒１２に形成されており、一端がガイド棒１２の外周面に開口している。収納穴１５ｆ内には、位置決めボール１５ｄが移動可能に収納されている。位置決めボール１５ｄは、収納穴１５ｆ内に収納されたスプリング１５ｅによってガイド棒１２の外周面側に付勢されている。収納穴１５ｆの開口部には、スプリング１５ｅによって付勢された位置決めボール１５ｄが収納穴１５ｆから抜け出るのを阻止するカシメ部１５ｇが形成されている。カシメ部１５ｇは、収納穴１５ｆの内径よりも半径方向内方に突出している。
【００２４】
図８に示すように、位置決めボール１５ｄは、誤操作防止カバー１１の位置決め時には、ガイド棒１２の外周面から所定の長さだけ突出するようになっている。この実施の形態においては、ガイド棒１２の外周面から突出した位置決めボール１５ｄがホルダー１３に当接することにより、誤操作防止カバー１１の進退方向の位置決めが可能となっている。また、誤操作防止カバー１１の位置決め解除時には、図９に示すように、位置決めボール１５ｄの全体が収納穴１５ｆに収納される。この実施の形態においては、第２の位置決め部１５Ｂおよび第３の位置決め部１５Ｃの構成は、第１の位置決め部１５Ａに準じている。
【００２５】
つぎに、スイッチ誤操作防止装置１０の操作手順および作用について説明する。
【００２６】
図１および図２は、操作ハンドル４ｃの誤操作を防止する常時モードを示している。図２の状態では、第１の位置決め部１５Ａの位置決めボール１５ｄがホルダー１３と当接するので、操作ハンドル４ｃが誤操作防止カバー１１のハンドル貫通穴１１０に進入した状態となる。この状態では、操作ハンドル４ｃの外周面４ｄが誤操作防止カバー１１によって包囲されることになり、運搬物などの異物と操作ハンドル４ｃとの接触が回避でき、捻回式切替用スイッチ４の誤作動を防止することができる。すなわち、この状態では、誤操作防止カバー１１の前面１１ａと操作ハンドル４ｃの前面が一致するので、誤操作防止カバー１１の前面１１ａ側はフラットな状態に維持されることになり、誤操作防止カバー１１の前面１１ａに沿って異物が移動しても、異物と操作ハンドル４ｃとの接触が回避でき、捻回式切替用スイッチ４の誤作動を防止することができる。
【００２７】
図３および図４は、操作ハンドル４ｃの操作を可能にする操作モードを示している。操作ハンドル４ｃを操作するためには、図２の状態から誤操作防止カバー１１を盤面２に向かって一旦押圧し、その後、押圧を解除する。これにより、一旦収縮した圧縮コイルスプリング１４が伸長するので、盤面２に接近した誤操作防止カバー１１が盤面２から離れる方向に移動し、第２の位置決め部１５Ｂの位置決めボール１５ｄがホルダー１３と当接することになる。図４は、第２の位置決め部１５Ｂによって誤操作防止カバー１１が停止している状態を示している。第２の位置決め部１５Ｂは、操作ハンドル４ｃに対してハンドル貫通穴１１０が後退した位置にくるように誤操作防止カバー１１の進退方向の位置決めする機能を有しているので、操作ハンドル４ｃがハンドル貫通穴１１０から前方に抜け出した状態となり、操作ハンドル４ｃを矢印Ｆ方向に回動させることが可能となり、捻回式切替用スイッチ４のオンオフ操作が可能となる。
【００２８】
図５および図６は、捻回式切替用スイッチ４が関連する設備について作業中であることを示す作業中モードを示している。捻回式切替用スイッチ４の関連設備が作業中であることを示すためには、第１の位置決め部１５Ａまたは第２の位置決め部１５Ｂによって所定位置に停止していた誤操作防止カバー１１を、盤面２から離れる方向に移動させ、第３の位置決め部１５Ｃの位置決めボール１５ｄをホルダー１３に当接させる。図６に示すように、第３の位置決め部１５Ｃによって誤操作防止カバー１１が停止した状態では、操作ハンドル４ｃが誤操作防止カバー１１によって覆われることになり、捻回式切替用スイッチ４が関連する設備について作業中であることが容易に把握することができる。
【００２９】
図１０は、操作盤１における各モード（常時モード、操作モード、作業中モード）におけるスイッチＳ１、Ｓ２、Ｓ３の動作を示している。図１０（ａ）は、すべてのスイッチＳ１、Ｓ２、Ｓ３が常時モードとなる場合を示している。常時モードにおいては、操作ハンドル４ｃが誤操作防止カバー１１のハンドル貫通穴１１０に進入した状態となるので、手で操作ハンドル４ｃをつかむことができないため、操作ハンドル４ｃの操作ができなくなる。また、図１０（ａ）の場合は、操作ハンドル４ｃの前面と誤操作防止カバー１１の前面１１ａが同一位置にあり、誤操作防止カバー１１の前面１１ａ側はフラットな状態になるので、操作ハンドル４ｃと運搬物などの異物との接触を回避でき、操作ハンドル４ｃの誤操作を防止することが可能となる。
【００３０】
図１０（ｂ）は、スイッチＳ１、Ｓ３が常時モードとなり、スイッチＳ２が操作モードとなる場合を示している。スイッチＳ２が操作モードとなる場合は、スイッチＳ２の誤操作防止カバー１１が盤面２側に向けて押圧される。この状態では、操作ハンドル４ｃが誤操作防止カバー１１のハンドル貫通穴１１０から抜け出ることになり、操作ハンドル４ｃは露出した状態となる。これにより、操作ハンドル４ｃを手でつかむことができ、操作ハンドル４ｃを軸心回りに回動させることにより、スイッチＳ２のオンオフ操作が可能となる。
【００３１】
図１０（ｃ）は、スイッチＳ１、Ｓ２が常時モードであり、スイッチＳ３が作業中モードとなる場合を示している。図７に示すように、操作盤１の系統表示板３は、発変電系統における各系統３ａ〜３ｄの作業状態を電光表示するようになっており、例えば系統３ｃ、３ｄが点灯した際は、関連するスイッチＳ３の管理が重要となるので、スイッチＳ３が作業中モードとされる。スイッチＳ３が作業中モードとなる場合は、スイッチＳ３における誤操作防止カバー１１が操作者によって盤面２から離れる方向に引き寄せられる。この状態では、操作ハンドル４ｃが誤操作防止カバー１１に覆われた状態となり、スイッチＳ３が関連する発変電設備について、作業中であることが容易に把握することが可能となる。
【００３２】
このように、捻回式切替用スイッチ４が設けられる盤面２に対する誤操作防止カバー１１の進退方向の停止位置を３段階としているので、第１の位置決め部１５Ａによる停止位置では、操作ハンドル４ｃの外周面４ｄが誤操作防止カバー１１によって包囲されることになり、例えば運搬物である異物との接触による捻回式切替用スイッチ４の誤作動を防止することができる。また、第２の位置決め部１５Ｂによる停止位置では、操作ハンドル４ｃがハンドル貫通穴１１０から前方に抜け出した状態となるので、操作ハンドル４ｃを回動させることが可能となり、捻回式切替用スイッチ４をオンオフすることができる。第３の位置決め部１５Ｃによる停止位置では、操作ハンドル４ｃが誤操作防止カバー１１によって覆われた状態となるので、捻回式切替用スイッチ４が関連する設備について作業中であることが容易に把握することができる。
【００３３】
また、第１の位置決め部１５Ａによって位置決めされている状態の誤操作防止カバー１１と操作ハンドル４ｃとの間の隙間Ｇは、操作ハンドル４ｃを操作する操作者の手が入らない大きさに設定されているので、操作ハンドル４ｃを手で握ることができず、捻回式切替用スイッチ４の誤操作を確実に防止することができる。さらに、誤操作防止カバー１１は、透明アクリル板から構成されているので、誤操作防止カバー１１によって操作ハンドル４ｃが覆われた状態でも、誤操作防止カバー１１を介して操作ハンドル４ｃを目視で確認することができ、捻回式切替用スイッチ４がオンまたはオフになっているのを容易に把握することができる。
【００３４】
以上、この発明の実施の形態を詳述してきたが、具体的な構成は上記の実施の形態に限られるものではなく、この発明の要旨を逸脱しない範囲の設計の変更等があっても、この発明に含まれる。例えば、この実施の形態においては、発変電設備における操作盤１に適用した場合を示したが、盤面に取付けられる回動（捻回）操作タイプのスイッチであれば適用可能であり、用途はこれに限定されない。また、誤操作防止カバー１１は３つの位置に停止可能であり、操作者によって進退方向に移動可能となっているが、例えば安全上の観点から特定の停止位置に固定したい場合は、カバー位置決め手段１５に誤操作防止カバー１１の進退方向の動きを禁止する施錠機能を設ける構成としてもよい。
【符号の説明】
【００３５】
１                操作盤
２                盤面
３                系統表示板
４                捻回式切替用スイッチ
４ｃ              操作ハンドル
１０              スイッチ誤操作防止装置
１１              誤操作防止カバー
１１０            ハンドル貫通穴
１２              ガイド棒
１３              ホルダー
１４              圧縮コイルスプリング
１５              カバー位置決め手段
Ｇ                隙間
【図１】
2014049219.tif 000003
【図２】
2014049219.tif 000004
【図３】
2014049219.tif 000005
【図４】
2014049219.tif 000006
【図５】
2014049219.tif 000007
【図６】
2014049219.tif 000008
【図７】
2014049219.tif 000009
【図８】
2014049219.tif 000010
【図９】
2014049219.tif 000011
【図１０】
2014049219.tif 000012